(57)【特許請求の範囲】
【請求項１】
原稿を取り込むピックアップローラと、ピックアップローラにより取り込まれた原稿を送るセパレートローラと、前記ピックアップローラと前記セパレートローラの中間に位置し、原稿の先端を規制する規制位置から揺動可能なシャッタとを備えた給紙装置であって、前記シャッタの先端が、該シャッタが上昇するにしたがって紙送り下流側に移動し、ついで途中より紙送り上流側へ向けて移動するようにし、
前記シャッタの一端に接続され、該シャッタの一端が紙送り上流側に突出する略円弧形状の軌跡を描くように駆動する駆動部材と、上下動するシャッタを一定位置で案内して該シャッタの先端を紙送り方向で移動させるための支点となるガイド部とを設け、
前記駆動部材は、一端に前記シャッタを取り付け、他端に軸を設けて回動するアームであり、前記ガイド部は、紙送り方向にシャッタが通過可能な幅を有する長孔、または紙送り方向にシャッタが通過可能な幅だけ離間して設けた一対のローラとしたことを特徴とする給紙装置。
【発明の詳細な説明】
【０００１】
【発明の属する技術分野】
本発明は、ファクシミリ装置や複写装置等に用いられる自動原稿搬送装置の給紙装置に関し、特に、原稿の先端を規制するシャッタに関する。
【０００２】
【従来の技術】
従来より自動原稿搬送装置においては、ユーザーが原稿を挿入するときに、該原稿の用紙さばき装置（セパレートローラおよびリタードローラ）への突入を防止し、安定した給紙を行うため、ピックアップローラと用紙さばき装置との中間位置にシャッタが配置されている。
このシャッタはスプリングにより付勢して揺動可能となるように配設されており、その揺動動作をピックアップアームと連動させることで、原稿の繰込み時には上昇させて、繰込みの障害とならないようにしている。
【０００３】
【発明が解決しようとする課題】
前述したような揺動可能なシャッタを、回動支点周りに原稿の挿入口側へ向けて回動するようにした場合は、シャッタが原稿に当接しながら上昇することになる。すると原稿が負荷となって、シャッタが円滑に上昇できないという問題が発生する。これを避けるためシャッタの回動方向を紙送り側とすると、シャッタの回動支点をピックアップローラ側に配置する必要がある。そうすると今度は、シャッタの配設スペースをどのように確保するか、駆動源をどこから求めるか、ピックアップアームとの連動をどのように実現するか、ということが問題となる。また前述したような従来の技術では、シャッタおよびピックアップアームはいずれもスプリングにより上方に付勢して、ピックアップアームとシャッタとが互いに逆向きに揺動するように連動させている。このため、駆動側であるピックアップアームのスプリングを、従動側であるシャッタのスプリングより、付勢力が大きくなるように設定しておく必要がある。しかし、ピックアップアームのスプリングをあまりに強く設定すると、駆動軸によりピックアップアームが下降する力（ピックアップローラが原稿を押圧すると共に、原稿を繰込む力）を強化する必要があり、繰込みに影響してしまう。このため、シャッタ上昇用のスプリングの設定値は自ずと制限されてしまうことになる。そうすると、前述したようにスプリングの付勢力により負荷としての原稿を排除しながら（シャッタを原稿に当接しながら）、シャッタを円滑に上昇させることは困難であり、シャッタが原稿にあたらないようにして上昇させる必要が出てくる。
【０００４】
【課題を解決するための手段】
本発明の解決しようとする課題は以上の如くであり、次に該課題を解決するための手段を説明する。
即ち、請求項１においては、原稿を取り込むピックアップローラと、ピックアップローラにより取り込まれた原稿を送るセパレートローラと、前記ピックアップローラと前記セパレートローラの中間に位置し、原稿の先端を規制する規制位置から揺動可能なシャッタとを備えた給紙装置であって、前記シャッタの先端が、該シャッタが上昇するにしたがって紙送り下流側に移動し、ついで途中より紙送り上流側へ向けて移動するようにし、
前記シャッタの一端に接続され、該シャッタの一端が紙送り上流側に突出する略円弧形状の軌跡を描くように駆動する駆動部材と、上下動するシャッタを一定位置で案内して該シャッタの先端を紙送り方向で移動させるための支点となるガイド部とを設け、
前記駆動部材は、一端に前記シャッタを取り付け、他端に軸を設けて回動するアームであり、前記ガイド部は、紙送り方向にシャッタが通過可能な幅を有する長孔、または紙送り方向にシャッタが通過可能な幅だけ離間して設けた一対のローラとしたものである。
【０００８】
【発明の実施の形態】
本発明の給紙装置２を備えた自動原稿搬送装置（以下ＡＤＦ装置）１について、図１、図２を用いて説明する。図１はシャッタ２１が下降した状態を示すＡＤＦ装置１の側面断面図であり、図２はシャッタ２１が上昇した状態を示すＡＤＦ装置１の側面断面図である。
図１、図２には、ファクシミリ装置や複写装置等の画像形成装置に備えられるＡＤＦ装置１が示されている。該ＡＤＦ装置１は上部の給紙装置２と下部の搬送装置３とから構成されている。該搬送装置３の上面にはインナーガイド４１が配設されており、該インナーガイド４１の右部（ＡＤＦ装置１への原稿挿入口１ａ）とそれに連なる供給トレイ（図示せず）上には、原稿束５を載置可能としている。そして、インナーガイド４１上に載置された原稿束５を、給紙装置２により一枚づつ分離して給送し、原稿５ａがＡＤＦ装置１内部へ搬送されるようにしている。
【０００９】
ＡＤＦ装置１内には原稿搬送路が設けられており、前記搬送装置の下方に配設される原稿読取部（図示せず）により、該原稿搬送路内を送られる原稿５ａが該原稿搬送路の中途部にて読み取られるようにしている。読取られた後の原稿５ａは、アウターガイド４５の右部（ＡＤＦ装置１への原稿排出口１ｂ）に連なる排出トレイ（図示せず）へ排出される。
前記原稿搬送路は、給紙装置２の下面に設けたアウターガイド４０や、搬送装置３に設けたインナーガイド４１・４２・４３・４４およびアウターガイド４５等によって形成されている。そして原稿５ａを搬送可能とするため、原稿搬送路に沿って、リタードローラ３３、フィードローラ３４・３５・３６等が配置されている。これらのローラは駆動ローラであり、フィードローラ３４・３５・３６はＡＤＦ装置１内へ原稿５ａを搬送する向き（以下紙送り方向）に回転している。また、リタードローラ３３は原稿５ａを原稿挿入口１ａへ逆送する向きに回転しているが、後述するように、給紙装置２に設けられるセパレートローラ６の作用により、原稿５ａはＡＤＦ装置１内へ搬送される。
【００１０】
次に、前記給紙装置２について説明する。給紙装置２には原稿繰込み機構とシャッタ機構とが備えられており、まず原稿繰込み機構について、図１から図３を用いて説明する。図３は、シャッタ２１が下降した状態を示す給紙装置２の要部の平面図である。
駆動軸４は、図示せぬモータの動力がギヤ等を介して伝達され駆動されるようにしており、該駆動軸４にはセパレートローラ６が配されている。該セパレートローラ６は駆動軸４の紙送り方向への回転により、原稿５ａを給送する。セパレートローラ６の両側には、駆動軸４を支点としてピックアップアーム７・８が回動自在に設けられており、該ピックアップアーム７・８の先端にはピックアップローラ９が回動可能に設けられている。
ピックアップアーム７と前記アウターガイド４０との間には、スプリング等で形成される付勢部材１０が介装されており、ピックアップアーム７（およびピックアップローラ９）を駆動軸４を支点として上方へ付勢するようにしている。
【００１１】
セパレートローラ６は、ワンウェイクラッチ１１を介して駆動軸４に取り付けられており、該駆動軸４の回転によりセパレートローラ６を紙送り方向に一体的に回転させると共に、セパレートローラ６が外力により同方向（紙送り方向）へ、駆動軸４の回転速度よりも早い速度で回転される場合は、該駆動軸４はセパレートローラ６に対して空回りするようにしている。
セパレートローラ６の同軸上にはギア１２が固設されており、セパレートローラ６とギア１２とが一体的に回転するようにしている。また、前記ピックアップローラ９の同軸上にはギア１３が固設されており、ピックアップローラ９とギア１３とが一体的に回転するようにしている。そしてギア１２とギア１３とには、ベルト１４が巻回されており、駆動軸４の回転がピックアップローラ９にも伝達されるようにしている。
【００１２】
ギア１３と前記ピックアップアーム７との間にはトルクリミッタ１５が設けられており、ギア１３はトルクリミッタ１５による負荷トルクを受けて回転を制限されている。そして、該トルクリミッタ１５で制限する負荷トルク（限界トルク）以上のトルクがギア１３に加えられると、該ギア１３はピックアップアーム７に対して回転する。
駆動軸４が回転を始めると、前述したようにギア１３に回転力が伝達されて、ギア１３が回転しようとするが、トルクリミッタ１５による負荷トルクによって該ギア１３の回転は制限される。一方、前述したように、ピックアップアーム７は駆動軸４に対して回動自在に設けられている。このため駆動軸４の回転力は、その回動がギア１３の回転に比して容易であるピックアップアーム７に向けられる。従って、ピックアップアーム７が駆動軸４を支点として下降回動し、ギア１３はピックアップアーム７に相対的に固定されて回転しない。この結果、ピックアップアーム７の下降回動に応じてピックアップローラ９が下降する。
下降するピックアップローラ９が図２に示すように原稿束５と接触した場合は、ピックアップアーム７はそれ以上下降できない。この結果、駆動軸４の回転力はすべてギア１３に向けられ、この場合は、駆動軸４から該ギア１３に加わるトルクがトルクリミッタ１５で制限されている負荷トルクを上回るようになっている。従って、ギア１３がピックアップアーム７に対して回転し、ピックアップローラ９が回転する。
【００１３】
つまり、駆動軸４が紙送り方向に回転する場合は、ワンウェイクラッチ１１が係合して、前記駆動軸４の回転力がセパレートローラ６およびギア１２に伝達され、この結果、ピックアップローラ９が原稿束５と接触するまでピックアップアーム７を下降させる。そして、ピックアップローラ９が原稿束５と接触すると、ギア１３に前記限界トルク以上のトルクが加わってピックアップローラ９が回転し、原稿束５の最上に位置する原稿５ａをＡＤＦ装置１内へと繰込むのである。
【００１４】
また、駆動軸４が紙送り方向に対して逆回転する場合は、ワンウェイクラッチ１１の係合が解除され、セパレートローラ６およびギア１２への動力伝達が遮断される。したがって、ピックアップアーム７にも回転力は伝達されず、該ピックアップアーム７は前記付勢部材１０の付勢力により上方へ回動する。
なお、駆動軸４が逆回転するのは、原稿束５をすべてＡＤＦ装置１内へ繰込んでインナーガイド４１に一枚も原稿がなくなったときである。
【００１５】
図２に示すように、ピックアップローラ９によりＡＤＦ装置１内側へ繰込まれた原稿５ａは、まずセパレートローラ６と前記リタードローラ３３との間に搬送される。セパレートローラ６とリタードローラ３３とで用紙さばき装置が構成されており、該用紙さばき装置は以下のようにして、ピックアップローラ９側から搬送されてきた原稿５ａを一枚ずつ、前記用紙搬送路へ給送するようにしている。
原稿５ａの搬送時において、セパレートローラ６が紙送り方向に回転するのに対し、リタードローラ３３は前述したように逆方向に回転する。リタードローラ３３はトルクリミッタを介して該ローラの駆動軸に設けられており、一定以上のトルクが加えられる場合には、該駆動軸に対して回動自在となるようにしている。セパレートローラ６はリタードローラ３３に圧接しており、両ローラ間に原稿を挟まない場合、もしくは一枚だけ原稿５ａを挟んでいる場合には、リタードローラ３３はセパレートローラ６に連れ回りして紙送り方向に回転する。これは、セパレートローラ６の回転のトルクがリタードローラ３３に加わる場合には、前記トルクリミッタが解除されるためである。
【００１６】
セパレートローラ６およびリタードローラ３３は、外周にゴム等の摩擦係数の大きな部材を配設している。そして、原稿５ａ・５ａ間に働く摩擦力より、それらのローラと原稿５ａ間とに働く摩擦力の方が大きくなるようにしている。このため、複数枚の原稿５ａ・５ａ・・・が用紙さばき装置に搬送されてきた場合には、リタードローラ３３はセパレートローラ６に連れ回りしないで、搬送された複数枚の原稿のうち最下の一枚を前記原稿挿入口１ａ側へ逆送する。このようにして、複数枚の原稿５ａ・５ａ・・・がピックアップローラ９によりＡＤＦ装置１内側へ繰込まれた場合でも、前記用紙さばき装置により分離されて、一枚の原稿５ａだけが原稿搬送路へと給送されるようにしている。
【００１７】
用紙さばき装置より原稿搬送路へ給送された原稿５ａは前記フィードローラ３４によって搬送されるが、ここでフィードローラ３４の回転速度はセパレートローラ６の回転速度よりも大きく設定されている。従って、原稿５ａの先端がフィードローラ３４にまで至ると、原稿５ａの後端がセパレートローラ６から抜け切るまでは、セパレートローラ６は連れ回りして、フィードローラ３４と同速度で回転する。
上述するようにセパレートローラ６がフィードローラ３４と同速度で回転するとき、セパレートローラ６は駆動軸４に対し、相対的に紙送り方向へ回転することになる。このような場合は前述したように前記ワンウェイクラッチ１１が切断され、ピックアップアーム７が上方へ回動を始める。
つまり、フィードローラ３４に原稿が供給されると、一旦ピックアップローラ９が上昇して原稿束５より離間し、少し間をおいて原稿５ａの後端がセパレートローラ６が抜けてから、ピックアップローラ９は再び下降して次の原稿５ａの繰込みを行うのである。
【００１８】
次に、前記シャッタ機構について説明する。以下で、第一から第三実施例のシャッタ機構について説明するが、まずシャッタ２１（第一から第三実施例で共通）と前記ピックアップアーム７・８との連動機構について説明する。該連動機構は、これらの実施例間で同一の機構である。
図３に示すように、駆動軸４よりもＡＤＦ装置１内側には枢軸１６が配設されており、該枢軸１６はＡＤＦ装置１のケーシングに回動自在に設けられている。枢軸１６には、係合部材１７、駆動部材１９・１９がそれぞれ固設されており、これらの部材は枢軸１６と一体的に回動する。該駆動部材１９の後端側（枢軸１６側）には、掛止部１９ｂが設けられている。また、前記アウターガイド４０上に支持部材４６が固設されており、該支持部材４６と前記掛止部１９ｂとの間には、スプリング等で形成される付勢部材２０が介装されている。そして付勢部材２０・２０は、駆動部材１９・１９が枢軸１６を支点として上方回動する方向の付勢力を常時作用させるようにしている。
【００１９】
これより、第一実施例のシャッタ機構について、図４から図６を用いて説明する。図４は第一実施例のシャッタ機構の要部を示す図であり、図４（ａ）はシャッタ２１を示す側面図、図４（ｂ）はシャッタ２１および駆動部材１９を示す平面図、図４（ｃ）はアウターガイド４０に設けた長孔４０ａを示す平面図である。また、図５は第一実施例においてシャッタ２１が下降した状態を示すシャッタ機構要部の側面断面図であり、図６は第一実施例においてシャッタ２１の上下移動の軌跡を示すシャッタ機構要部の側面断面図である。
駆動部材１９の先端部には、シャッタ２１が回動自在に接続されている。シャッタ２１は、図４（ｂ）、図５に示すように、支点軸２１ａで駆動部材１９に枢設されており、該支点軸２１ａにはシャッタ部２１ｂが固設されている。また、該シャッタ部２１ｂ上には補強リブ２１ｃが固設されている。
以上構成により、駆動部材１９の上下回動に伴って、シャッタ２１が上下に移動するようにしている。そしてシャッタ２１は、駆動部材１９を介して前記付勢部材２０により、上方に付勢されている。また、図１から図３に示すように、シャッタ２１は側面視でピックアップローラ９とセパレートローラ６との中間に位置するようにしている。
【００２０】
前記ピックアップアーム８の枢軸１６側には突起部８ａが形成されており、該突起部８ａには係合片２２が固設されている。一方、前記係合部材１７には係合部１７ａが切欠いて形成されている。そして、ピックアップアーム７・８の駆動軸４回りの回動により、係合片２２と係合部１７ａとが係合して、係合部材１７が枢軸１６を支点として回動可能となるようにしている。
係合部材１７と前記駆動部材１９とは、前述のとおり一体的に回動するように構成しているため、該係合部材１７の回動により駆動部材１９も回動する。そして駆動部材１９が係合部材１７により駆動すると、駆動部材１９の先端（シャッタ２１との接続側の一端）が、紙送り方向の上流側に突出する円弧を描くように移動する。つまり駆動部材１９は、一端にシャッタ２１を取り付け、他端に枢軸１６を設けて回動するアームである。また、駆動部材１９の駆動により、シャッタ２１が上下に移動する。
なお、係合部材１７の形状は、前述の構成に限定されるものではなく、例えば円筒部材に突起部を形成して、前記係合片が該突起部で係合するようにしてもよい。
【００２１】
給紙装置２が作動されていない状態では、前記ピックアップアーム７・８は回動可能な範囲における最上位置で待機している。そして前記係合片２２の下降により係合部材１７が紙送り方向に回転して、駆動部材１９も下降している。このときシャッタ２１も駆動部材１９に連動して下降しており、前記シャッタ部２１ｂの先端は、前記インナーガイド４１上に設けた凹部に係止される。ここで該凹部にシャッタ部２１ｂが係止される際の位置を、シャッタ２１の規制位置とする。シャッタ２１が規制位置にあるとき、図１、図５に示すように、原稿束５が前記原稿挿入口１ａより挿入されても、シャッタ部２１ｂ先端が凹部で係止されて、シャッタ２１が原稿挿入の圧力につられて動いてしまうことがないようにしている。
【００２２】
前記アウターガイド４０には、図４（ｃ）、図５に示すように、長孔４０ａが形成されている。該長孔４０ａはシャッタ２１が丁度通過可能となるだけの幅を有しており、シャッタ２１は上下動する際に、長孔４０ａ内を必ず通過するように規制される。すなわち長孔４０ａは、シャッタ２１を一定位置（長孔４０ａが形成される位置）で案内するガイド部として作用する。
【００２３】
シャッタ２１が駆動部材１９の駆動により上昇する際には、次のような軌跡を描く。シャッタ２１は規制位置より離れた直後では、紙送り方向の下流側に移動する。図６中では、シャッタ２１が規制位置にあるときは二点斜線で示しており、規制位置より上昇した直後の状態は破線で示している。また、シャッタ２１は上昇するに従い、途中で紙送り方向の上流側に移動する。図６中では、シャッタ２１は、前記の破線で示される位置より上昇した位置を、実線で示している。つまり、シャッタ部２１ｂの先端が図６中に矢印で示すような形状の曲線を描くようにして、シャッタ２１は上昇する。
このため、シャッタ２１を原稿束５の先端から離れるようにして上昇させることができ、原稿束５がシャッタ２１が上昇する際の負荷となることがない。したがって、シャッタ２１を駆動部材１９を介して付勢する付勢部材２０は、シャッタ２１が負荷としての原稿束５を押しのけるだけの強さがなくてもよい。したがって給紙装置２に備えられる付勢部材２０としては、原稿束５を押しのけるだけの強さを必要とされないので、コストダウンを図ることができる。
【００２４】
シャッタ２１が前述したような軌跡を描いて上昇するのは、駆動部材１９が上昇するにつれて、駆動部材１９の先端（つまりシャッタ２１の支点軸２１ａ）が紙送り下流側より紙送り上流側へ移動し、次いで紙送り下流側へ移動するためである。なお、これは前述したように、駆動部材１９の先端が紙送り方向の上流側に突出する円弧を描くように移動するように駆動部材１９が設けられているためである。シャッタ２１は前述したように、前記長孔４０ａを支点とするように案内される。そして長孔４０ａを支点としてシャッタ２１の先端は、駆動部材１９の先端が（紙送り）下流側より、上流側、下流側へと移動するのと逆順に、上流側より、下流側、上流側へと移動するのである。
【００２５】
なお、前述では、シャッタ２１が上昇する際の移動について説明したが、シャッタ２１が下降する際も、シャッタ機構が以上のように構成されることにより、同様の軌跡をたどって移動を行う。
【００２６】
次いで、第二実施例のシャッタ機構について、図７から図９を用いて説明する。図４は第一実施例のシャッタ機構の要部を示す図であり、図７（ａ）はシャッタ２１を示す側面図、図７（ｂ）はシャッタ２１および駆動部材１９を示す平面図、図７（ｃ）はアウターガイド５０に設けた長孔５０ａを示す平面図である。また、図８は第二実施例においてシャッタ２１が下降した状態を示すシャッタ機構要部の側面断面図であり、図９は第二実施例においてシャッタ２１の上下移動の軌跡を示すシャッタ機構要部の側面断面図である。
第二実施例においては、前記アウターガイド４０の代わりにアウターガイド５０を用いて給紙装置を構成しており、該アウターガイド５０には、図７（ｃ）、図８に示すように、シャッタ２１を通過可能とする開口部５０ａが形成されている。該開口部５０ａには、一対のガイドローラ２６・２６が紙送り方向に並設されている。
【００２７】
一対のガイドローラ２６・２６は、シャッタ２１が丁度通過可能となるだけの幅だけ離間して設けられている。そして、シャッタ２１が上下動する際に、ガイドローラ２６・２６間を必ず通過するように規制している。すなわち第二実施例では前記ガイド部材として、第一実施例での長孔４０ａの代わりに、一対のガイドローラ２６・２６としている。
なお、本実施例（第二実施例）では、開口部５０ａ内で左右にガイドローラ２６を配置して、全体で二対のガイドローラ２６・２６が配置されるようにしている。これは、シャッタ２１には補強リブ２１ｃのところで突出しているため、該補強リブ２１ｃとガイドローラ２６・２６との接触を避けて、シャッタ２１の案内を良好とするためである。したがって、一対のガイドローラを構成するローラのうち、紙送り下流側に配設されるローラは、中間部を凹形状として補強リブ２１ｃと接触しないようにし、一対だけのガイドローラを開口部５０ａに設ける構成としても良い。
シャッタ２１は一対のガイドローラ２６・２６によって、図９に示すようにして移動する。シャッタ２１の移動を規制する作用は、第一実施例と同様のものである。
【００２８】
次に、第三実施例のシャッタ機構について、図１０から図１２を用いて説明する。図１０は第一実施例のシャッタ機構の要部を示す図であり、図１０（ａ）はシャッタ２１を示す側面図、図１０（ｂ）はシャッタ２１および駆動部材１９を示す平面図、図１０（ｃ）はアウターガイド６０に設けた長孔６０ａを示す平面図である。また、図１１は第三実施例においてシャッタ２１が下降した状態を示すシャッタ機構要部の側面断面図であり、図１１は第三実施例においてシャッタ２１の上下移動の軌跡を示すシャッタ機構要部の側面断面図である。
第三実施例においては、前記アウターガイド４０・５０の代わりにアウターガイド６０を用いて給紙装置を構成しており、該アウターガイド６０には、図１０（ｃ）、図１１に示すように、シャッタ２１を通過可能とする開口部６０ａが形成されている。また、該開口部６０ａを形成するアウターガイド６０の切断面のうち、紙送り上流側に位置する面を、ガイド面６０ｂとしている。
【００２９】
シャッタ２１と駆動部材１９との間には、図１０（ｂ）、図１１に示すように、スプリングである付勢部材２７が介装されており、該付勢部材２７がシャッタ２１を紙送り上流側へ向けて付勢するようにしている。このためシャッタ２１は紙送り上流側へ移動して、前記ガイド面６０ｂに当接する。
以上構成により、シャッタ２１は上下動する際に、ガイド面６０ｂに当接した状態となるように規制される。したがって、シャッタ２１はガイド面６０ｂのある位置（一定位置）で案内されるものであり、該ガイド面６０ｂは前述したガイド部材として作用する。
なお、本実施例（第三実施例）では、付勢部材２７による付勢方向を紙送り上流側とし、開口部６０ａが形成される面のうち紙送り上流側のガイド面６０ｂをガイド部材としているが、これらを逆としてもよい。つまり、付勢部材によりシャッタを紙送り下流側に付勢すると共に、開口部６０ａの形成面うち、紙送り下流側の面をガイド部材としても、シャッタ２１の移動は同様のものとなる。
【００３０】
シャッタ２１は付勢部材２７とガイド面６０ｂとによって、図１２に示すようにして移動する。シャッタ２１の移動を規制する作用は、第一、第二実施例と同様のものである。
【００３１】
請求項１記載の如く構成するので、シャッタが原稿先端から離れつつ上昇させることができ、原稿がシャッタ上昇時の負荷となることがない。このため、シャッタ上昇用のスプリング力を小さなものとすることができ、コストダウンを図ることができる。シャッタを一定位置を支点として回動しつつ上昇させることができ、シャッタが原稿先端より離れるように上昇させることができる。しかも、このようなシャッタの移動を、支点となるガイド部材と上下揺動する駆動部材とだけで実現でき、簡単な構成でシャッタを作動させることができる。
【図面の簡単な説明】
【図１】シャッタ２１が下降した状態を示すＡＤＦ装置１の側面断面図である。
【図２】シャッタ２１が上昇した状態を示すＡＤＦ装置１の側面断面図である。
【図３】給紙装置２の要部を示す平面図である。
【図４】第一実施例のシャッタ機構の要部を示す図である。
【図５】第一実施例においてシャッタ２１が下降した状態を示すシャッタ機構要部の側面断面図である。
【図６】第一実施例においてシャッタ２１の上下移動の軌跡を示すシャッタ機構要部の側面断面図である。
【図７】第二実施例のシャッタ機構の要部を示す図である。
【図８】第二実施例においてシャッタ２１が下降した状態を示すシャッタ機構要部の側面断面図である。
【図９】第二実施例においてシャッタ２１の上下移動の軌跡を示すシャッタ機構要部の側面断面図である。
【図１０】第三実施例のシャッタ機構の要部を示す図である。
【図１１】第三実施例においてシャッタ２１が下降した状態を示すシャッタ機構要部の側面断面図である。
【図１２】第三実施例においてシャッタ２１の上下移動の軌跡を示すシャッタ機構要部の側面断面図である。
【符号の説明】
１  ＡＤＦ装置
２  給紙装置
６  セパレートローラ
９  ピックアップローラ
１９  駆動部材
２１  シャッタ
２１ａ  支点軸
２１ｂ  シャッタ部
２１ｃ  補強リブ
２６  ガイドローラ
２７  付勢部材
４０・５０・６０  アウターガイド
４０ａ  長孔
５０ａ・６０ａ  開口部
６０ｂ  ガイド面
【図１】
0003714165.tif 000002
【図２】
0003714165.tif 000003
【図３】
0003714165.tif 000004
【図４】
0003714165.tif 000005
【図５】
0003714165.tif 000006
【図６】
0003714165.tif 000007
【図７】
0003714165.tif 000008
【図８】
0003714165.tif 000009
【図９】
0003714165.tif 000010
【図１０】
0003714165.tif 000011
【図１１】
0003714165.tif 000012
【図１２】
0003714165.tif 000013